(57)【要約】【課題】  落雷などの瞬間的な高電圧が生じた際に、通信回線信号がノイズを受けないノイズ防止機構を備えた電気コネクタを提供すること。【解決手段】  本考案の電気コネクタは、絶縁ハウジングと、前記絶縁ハウジング内に装着される端子モジュラーと、前記絶縁ハウジングの外表面に実装されるノイズ防止機構と、を含み、前記端子モジュラーは、一端に位置するコンタクト部と、他端に形成されるテールと、前記コンタクト部とテールとを連接する固持部とを有する導電端子を含む。ノイズ防止機構が設けられることで、落雷などの瞬間的な高電圧が生じた際でも、前記導電端子が露出されず、さらに通信回線信号がノイズを受けず、伝送量が保証される。【選択図】図４
0003117140.tif 000002
【実用新案登録請求の範囲】
【請求項１】
絶縁ハウジングと、
前記絶縁ハウジング内に装着され、一端に位置するコンタクト部と、他端に形成されるテールと、前記コンタクト部とテールとを連接する固持部とを有する導電端子を含む端子モジュラーと、
前記絶縁ハウジングの外表面に実装されるノイズ防止機構と
を含むことを特徴とする電気コネクタ。
【請求項２】
前記絶縁ハウジングは、複数の係合孔が形成される底壁を有し、前記ノイズ防止機構は、前記底壁の外表面に実装され、前記係合孔に係合する係合突起が形成されることを特徴とする請求項１記載の電気コネクタ。
【請求項３】
前記端子モジュラーは、前記導電端子の固持部を包む端子固持部材を有することを特徴とする請求項２記載の電気コネクタ。
【請求項４】
前記電気コネクタは、ケーブルを固持するのに用いられる位置決めベースを含むことを特徴とする請求項２記載の電気コネクタ。
【考案の詳細な説明】
【技術分野】
【０００１】
本考案は、電気コネクタに関し、特に通信設備やＬＡＮ（ローカルエリアネットワーク）において使用される電気コネクタに関するものである。
【背景技術】
【０００２】
一般に、通信設備やＬＡＮ（ローカルエリアネットワーク）において使用される電気コネクタ部材は、回路基板に実装され、プラグと回路基板との間の接続を達成する。従来の電気コネクタは、一般に、絶縁ハウジングと、該絶縁ハウジング内に装着される端子モジュラーとを含む。前記端子モジュラーは、絶縁材料からなる端子固持部材と、端子固持部材にインセットに装着される導電端子とを含む。
【考案の開示】
【考案が解決しようとする課題】
【０００３】
しかしながら、落雷などの際に瞬間的な高電圧が生じると、前記端子モジュラーの端子固持部材が破壊される虞があり、さらに、導電端子が露出されて通信回線信号がノイズを受ける。そこで、通信回線信号の伝送要求に応じて、改良した新型の電気コネクタを提供することが必要である。
【０００４】
本考案は、落雷などの瞬間的な高電圧が生じた際に、通信回線信号がノイズを受けないノイズ防止機構を備えた電気コネクタを提供することを目的とする。
【課題を解決するための手段】
【０００５】
前記目的を達成するために、本考案の電気コネクタは、絶縁ハウジングと、前記絶縁ハウジング内に装着される端子モジュラーと、前記絶縁ハウジングの外表面に実装されるノイズ防止機構と、を含み、前記端子モジュラーは、一端に位置するコンタクト部と、他端に形成されるテールと、前記コンタクト部とテールとを連接する固持部とを有する導電端子を含む。
【考案の効果】
【０００６】
従来の技術に比べると、本考案は以下の利点がある。本考案に係る電気コネクタは、ノイズ防止機構即ち絶縁板が設けられることで、落雷などの瞬間的な高電圧が生じた際でも、前記端子モジュラーの端子固持部材の破壊が防止されるので、導電端子が露出されることはない。さらに、通信回線信号がノイズを受けず、伝送量が保証される。
【考案を実施するための最良の形態】
【０００７】
図１〜図５は、本考案の実施形態に係る電気コネクタの一例としての電気コネクタ１を示しており、該電気コネクタ１は、絶縁ハウジング１０と、前記絶縁ハウジング１０内に装着される端子モジュラー２０と、絶縁ハウジング１０の後方に位置する位置決めベース３０と、絶縁ハウジング１０の上方に位置するノイズ防止機構即ち絶縁板４０とを含む。
【０００８】
前記絶縁ハウジング１０は、樹脂等の絶縁材料で成型され、内部に前後方向で開口（参照符号なし）を有する収容空間１２が形成される。前記収容空間１２は、絶縁ハウジング１０の頂壁（参照符号なし）から下向きに延出される仕切り壁１４によって、相手コネクタ（図示せず）を収容するのに用いられる前収容空間１２１と、後収容空間１２２とが区画される。仕切り壁１４には、垂直に延在する複数の収容溝１４１が形成され、後収容空間１２２の開口の両側には、上向きに延出される凹溝１６が形成される。絶縁ハウジングの底壁１１に複数の係合孔１１２が形成される。
【０００９】
前記端子モジュラー２０は、導電端子２１と、導電端子２１を固持する端子固持部材２２と、を含み、前記導電端子２１は、一端で相手コネクタに電気的に接続するコンタクト部２１１と、他端に形成されるテール２１０と、前記コンタクト部２１１とテール部２１０とを連接する固持部（図示せず）とを有する。前記端子固持部材２２は、導電端子２１の固持部をインセットで包囲し、導電端子２１のコンタクト部２１１とテール部２１０とは、前記端子固持部材２２から露出している。
【００１０】
前記位置決めベース３０は、外部に接続するケーブル（図示せず）を絶縁ハウジング１０内に取付けるのに用いられ、複数の通溝３２１が形成される本体部３２と、通孔３４１が形成される階段部３４とを含み、前記本体部３２の両側には、凸部３２２が形成される。前記ケーブルは位置決めベース３０の通孔３４１内に上方から下向きに挿入され、ケーブルの芯線は前記通溝３２１内に収容されて導電端子２１と電気的に接続する。
【００１１】
前記絶縁板４０は、樹脂等の絶縁材料で成型される平板であり、前記絶縁ハウジング１０に形成される係合孔１１２にそれぞれ係合できる係合突起４１が形成される。
【００１２】
取付ける際に、前記端子モジュラー２０は、絶縁ハウジング１０の底壁１１の開口１１０から絶縁ハウジング１０の後収容空間１２２内に挿入され、端子モジュラー２０のコンタクト部２１１と、端子固持部材２２に包囲される固持部とが前収容空間１２１内に装着され、テール２１０が絶縁ハウジング１０に装着される。外部電子部材に接続するケーブルは、位置決めベース３０の階段部３４の通孔３４１に沿って通溝３２１内に装着され、導電端子２１のテール２１０に半田付けされる。
【００１３】
それから、前記位置決めベース３０は、凹溝１６に沿って前記絶縁ハウジング１０の後収容空間１２２に下方から上向きに挿入されるとともに、位置決めベース３０の両側の凸部３２２が絶縁ハウジング１０の凹溝１６に係合することで、絶縁ハウジング１０の後収容空間１２２内に装着され、この時、前記導電端子２１のテール２１０は、前記通溝３２１に当接する。最後に、絶縁板４０は、係合突起４１が前記絶縁ハウジング１０の底壁１１に形成される係合孔１１２に係合することにより、絶縁ハウジング１０の底壁１１の外表面に実装され、端子モジュラー２０の端子固持部材２２を覆う。
【００１４】
こうして、本考案の電気コネクタ１は、ノイズ防止機構即ち絶縁板４０が設けられることで、落雷などの瞬間的な高電圧が生じた際でも、前記端子モジュラー２０の端子固持部材２２の破壊が防止されるので、導電端子２１が露出されることはない。さらに、通信回線信号がノイズを受けず、伝送量が保証される。
【００１５】
以上、本考案についてよい実施の形態を参照して詳細に説明したが、実施形態はあくまでも例示的なものであり、これらに限定されるものではない。また前記の説明は、本考案に基づきなしうる細部の修正或は変更など、いずれも本考案の請求範囲に属するものとする。
【図面の簡単な説明】
【００１６】
【図１】本考案に係る電気コネクタの組合せの斜視図である。
【図２】本考案に係る電気コネクタの他の角度から見た組合せの斜視図である。
【図３】本考案に係る電気コネクタの分解斜視図である。
【図４】本考案に係る電気コネクタの他の角度から見た分解斜視図であり。
【図５】図１に示す電気コネクタのＡ−Ａ線で切断した断面図である。
【符号の説明】
【００１７】
１  電気コネクタ
１０  絶縁ハウジング
１１  底壁
１２  収容空間
１４  仕切り壁
１６  凹溝
２０  端子モジュラー
２１  導電端子
２２  端子固持部材
３０  位置決めベース
３２  本体部
３４  階段部
４０  ノイズ防止機構（絶縁板）
４１  係合突起
１１０  開口
１１２  係合孔
１２１  前収容空間
１２２  後収容空間
２１０  テール
２１１  コンタクト部
３２１  通溝
３２２  凸部
３４１  通孔
【図１】
0003117140.tif 000003
【図２】
0003117140.tif 000004
【図３】
0003117140.tif 000005
【図４】
0003117140.tif 000006
【図５】
0003117140.tif 000007